(57)【要約】【課題】識別体に対応した個人の入退室を正確に管理することができる入退室管理システムを提供する。【解決手段】管理領域外で管理領域の出入口近傍に設けられ、個人に対応付けられた識別体５を検出するための電波３ａを送信する入側リーダ３と、管理領域内で出入口近傍に設けられ、入側リーダ３が送信した電波３ａの範囲と重なるように、個人に対応付けられた識別体５を検出するための電波４ａを送信する出側リーダ４と、入側リーダ３と出側リーダ４とが送信した電波３ａ、４ｂの重なる範囲に位置する識別体５を入側リーダ３と出側リーダ４とが同時に検出した場合に、入側リーダ３と出側リーダ４とが送信する電波３ａ、４ａの重なる範囲が徐々に狭くなるように、入側リーダ３と出側リーダ４とが送信する電波３ａ、４ａの出力を制御するコントローラ２と、を備えた。【選択図】図２
2012243248.tif 000002
【特許請求の範囲】
【請求項１】
管理領域外で前記管理領域の出入口近傍に設けられ、個人に対応付けられた識別体を検出するための電波を送信する入側リーダと、
前記管理領域内で前記出入口近傍に設けられ、前記入側リーダが送信した電波の範囲と重なるように、個人に対応付けられた識別体を検出するための電波を送信する出側リーダと、
前記入側リーダと前記出側リーダとが送信した電波の重なる範囲に位置する識別体を前記入側リーダと前記出側リーダとが同時に検出した場合に、前記入側リーダと前記出側リーダとが送信する電波の重なる範囲が徐々に狭くなるように、前記入側リーダと前記出側リーダとが送信する電波の出力を制御するコントローラと、
を備えたことを特徴とする入退室管理システム。
【請求項２】
前記コントローラは、前記入側リーダと前記出側リーダとが送信した電波の重なる範囲に位置する識別体を前記入側リーダと前記出側リーダとが同時に検出した場合に、前記入側リーダと前記出側リーダとが送信する電波の範囲を時間の経過に応じて一定の割合で狭くすることを特徴とする請求項１記載の入退室管理システム。
【請求項３】
前記コントローラは、前記入側リーダと前記出側リーダとが送信した電波の重なる範囲に位置する識別体を前記入側リーダと前記出側リーダとが同時に検出した場合に、前記入側リーダと前記出側リーダとが送信する電波の範囲を所定の時間間隔毎に所定量だけ狭くすることを特徴とする請求項１記載の入退室管理システム。
【請求項４】
前記コントローラは、前記入側リーダと前記出側リーダとが当該識別体を検出しなくなった場合に、前記入側リーダと前記出側リーダとが送信する電波の範囲を、前記入側リーダと前記出側リーダとが当該識別体を検出しなくなったときの範囲よりも所定量だけ広げ、当該識別体が検出されなくなる前の時間間隔よりも短い時間間隔毎に当該識別体が検出されなくなる前の量よりも少ない量で狭くすることを特徴とする請求項３記載の入退室管理システム。
【発明の詳細な説明】
【技術分野】
【０００１】
この発明は、入退室管理システムに関するものである。
【背景技術】
【０００２】
入室用の送信アンテナと退室用の送信アンテナとを備えた入退室管理用リーダが提案されている。このリーダは、入室用の送信アンテナと退室用の送信アンテナとを切り替えて、タグ等の識別体を検出するためのコマンドに対応した電波を送信する。当該電波は、識別体に受信される。識別体は、当該電波に応答した電波を送信する。
【０００３】
当該電波は、リーダに受信される。リーダは、識別体からの電波がどの送信アンテナから送信された電波にして応答したのかを特定する。この特定により、識別体に対応した個人の入退室が管理される（例えば、特許文献１参照）。
【先行技術文献】
【特許文献】
【０００４】
【特許文献１】特開２００４−２２７３１５号公報
【発明の概要】
【発明が解決しようとする課題】
【０００５】
上記電波の周波数は、ＦｅｌｉＣａ（登録商標）等で規格化されている。このため、特許文献１記載のものにおいては、２つの送信アンテナが送信した電波の重なる範囲に識別体が位置する場合、当該識別体は２つの送信アンテナから送信されたコマンドに対して応答する。その結果、当該識別体に対応した個人の入退室を正確に管理することができない。
【０００６】
この発明は、上述のような課題を解決するためになされたもので、その目的は、識別体に対応した個人の入退室を正確に管理することができる入退室管理システムを提供することである。
【課題を解決するための手段】
【０００７】
この発明に係る入退室管理システムは  管理領域外で前記管理領域の出入口近傍に設けられ、個人に対応付けられた識別体を検出するための電波を送信する入側リーダと、前記管理領域内で前記出入口近傍に設けられ、前記入側リーダが送信した電波の範囲と重なるように、個人に対応付けられた識別体を検出するための電波を送信する出側リーダと、前記入側リーダと前記出側リーダとが送信した電波の重なる範囲に位置する識別体を前記入側リーダと前記出側リーダとが同時に検出した場合に、前記入側リーダと前記出側リーダとが送信する電波の重なる範囲が徐々に狭くなるように、前記入側リーダと前記出側リーダとが送信する電波の出力を制御するコントローラと、を備えたものである。
【発明の効果】
【０００８】
この発明によれば、識別体に対応した個人の入退室を正確に管理することができる。
【図面の簡単な説明】
【０００９】
【図１】この発明の実施の形態１における入退室管理システムのブロック図である。
【図２】この発明の実施の形態１における入退室管理システムのブロック図である。
【図３】この発明の実施の形態１における入退室管理システムによるリーダの電波範囲の制御方法を説明するための図である。
【図４】この発明の実施の形態１における入退室管理システムの動作を説明するためのフローチャートである。
【図５】この発明の実施の形態２における入退室管理システムによるリーダの電波範囲の制御方法を説明するための図である。
【図６】この発明の実施の形態３における入退室管理システムの動作を説明するためのフローチャートである。
【発明を実施するための形態】
【００１０】
この発明を実施するための形態について添付の図面に従って説明する。なお、各図中、同一又は相当する部分には同一の符号を付しており、その重複説明は適宜に簡略化ないし省略する。
【００１１】
実施の形態１．
図１と図２とはこの発明の実施の形態１における入退室管理システムのブロック図である。
【００１２】
図１において、管理領域（図示せず）には、出入口（図示せず）が設けられる。出入口には、扉（図示せず）が設けられる。扉には、電気錠１が設けられる。電気錠１には、コントローラ２が接続される。
【００１３】
コントローラ２には、入側リーダ３が接続される。入側リーダ３は、管理領域外の出入口近傍に設けられる。入側リーダ３は、送信アンテナ（図示せず）と受信アンテナ（図示せず）とを備える。
【００１４】
コントローラ２には、出側リーダ４が接続される。出側リーダ４は、管理領域内の出入口近傍に設けられる。出側リーダ４は、送信アンテナ（図示せず）と受信アンテナ（図示せず）とを備える。
【００１５】
５はタグである。タグ５は、識別体として、管理領域を入退室する個人（図示せず）に所持される。タグ５は、個人に対応付けられたＩＤデータを記憶する。タグ５は、受信アンテナと送信アンテナとを備える。
【００１６】
この入退室管理システムにおいては、入側リーダ３の送信アンテナは、所定の範囲まで電波３ａを送信する。電波３ａの範囲内にタグ５が位置している場合、電波３ａは、タグ５の受信アンテナに受信される。電波３ａに応答して、タグ５は、送信アンテナからＩＤデータに対応した電波を送信する。
【００１７】
当該電波は、入側リーダ３の受信アンテナに受信される。入側リーダ３は、当該電波に対応した受信データをコントローラ２に送信する。当該受信データに基づいて、コントローラ２は、個人を特定する。当該個人が管理領域内への入室を許可された者である場合、コントローラ２は、電気錠１を開くとともに、当該個人が管理領域に入室したと判断する。
【００１８】
これに対し、出側リーダ４の送信アンテナは、所定の範囲まで電波４ａを送信する。電波４ａの範囲内にタグ５が位置している場合、電波４ａは、タグ５の受信アンテナに受信される。電波４ａに応答して、タグ５は、送信アンテナからＩＤデータに対応した電波を送信する。
【００１９】
当該電波は、出側リーダ４の受信アンテナに受信される。出側リーダ４は、当該電波に対応した受信データをコントローラ２に送信する。当該受信データに基づいて、コントローラ２は、個人を特定する。コントローラ２は、電気錠１を開くとともに、当該個人が管理領域から退室したと判断する。
【００２０】
図１に示すように、電波３ａの範囲と電波４ａの範囲とが重なる位置にタグ５が位置している場合、タグ５の受信アンテナは、電波３ａと電波４ａとを同時に受信する。電波３ａと電波４ａとに応答して、タグ５は、送信アンテナからＩＤデータに対応した電波を送信する。
【００２１】
当該電波は、入側リーダ３の受信アンテナと出側リーダ４の受信アンテナとに受信される。入側リーダ３と出側リーダ４とは、当該電波に対応した受信データをコントローラ２に送信する。当該受信データに基づいて、コントローラ２は、個人を特定する。この際、コントローラ２は、当該個人の入室と退室とを同時に検出する。このため、当該個人の入退室を正確に判断することができない。
【００２２】
本実施の形態においては、コントローラ２は、入側リーダ３と出側リーダ４とから同時に同一のＩＤデータに対応した受信データを受信した場合、入側リーダ３の送信アンテナと出側リーダ４の送信アンテナに流れる電流を徐々に減らす。
【００２３】
その結果、図２に示すように、電波３ａの範囲と電波４ａの範囲の重なる範囲が徐々に狭くなる。これにより、タグ５は、出入口近傍の壁等の物理的な障害（図示せず）等の関係から、電波３ａの範囲と電波４ａの範囲の一方のみに位置するようになる。その結果、当該タグ５に対応した個人の入退室を正確に管理することができる。
【００２４】
図２においては、タグ５は、入側リーダ３よりも出側リーダ４に近い。この場合、出側リーダ４のみがタグ５からの電波を受信する。このため、コントローラ２は、当該タグ５に対応した個人が退室したと判断する。
【００２５】
次に、電波３ａの範囲と電波４ａの範囲とを徐々に狭くする具体例に説明する。
図３はこの発明の実施の形態１における入退室管理システムによるリーダの電波範囲の制御方法を説明するための図である。図３の横軸は時間を表す。図３の縦軸は電波３ａの範囲と電波４ａの範囲とを表す。
【００２６】
図３に示すように、コントローラ２は、入側リーダ３と出側リーダ４とから同時に同一のＩＤデータに対応した受信データを受信した場合、電波３ａの範囲と電波４ａの範囲とを時間の経過に応じて一定の割合で狭くする。この際、コントローラ２は、記憶部（図示せず）に記憶されている設定値を初期値として、電波３ａの範囲と電波４ａの範囲とを制御する。
【００２７】
次に、入退室管理システムの動作を説明する。
図４はこの発明の実施の形態１における入退室管理システムの動作を説明するためのフローチャートである。
【００２８】
ステップ１では、入側リーダ３又は出側リーダ４がタグ５からの電波を受信する。その後、ステップＳ２に進み、入側リーダ３又は出側リーダ４は、当該電波に対応した受信データをコントローラ２に送信する。その後、ステップＳ３に進み、コントローラ２は、受信データを解析する。その後、ステップＳ４に進み、コントローラ２は、入側リーダ３と出側リーダ４とから同時に同一のＩＤデータに対応した受信データを受信しているか否かを判断する。
【００２９】
入側リーダ３と出側リーダ４とから同時に同一のＩＤデータに対応した受信データが受信されている場合は、ステップＳ５に進む。ステップＳ５では、コントローラ２は、入側リーダ３と出側リーダ４とに、記憶部に記憶された設定値を初期値として電波３ａ、４ａの範囲を狭くするように指示する。その後、ステップＳ６に進み、入側リーダ３と出側リーダ４とは、コントローラ２の指示に従って、電波３ａ、４ａの範囲を狭くする。その後、ステップＳ１に戻り、上記動作が繰り返される。
【００３０】
ステップＳ４で入側リーダ３と出側リーダ４とから同時に同一のＩＤデータに対応した受信データが受信されてない場合は、ステップＳ７に進む。ステップＳ７では、コントローラ２は、記憶部に記憶された設定値をその時点での電波３ａ、４ｂの範囲に更新する。その後、ステップＳ８に進み、コントローラ２は、電気錠１の開閉を制御する。この制御により、一連の動作が終了する。
【００３１】
以上で説明した実施の形態１によれば、電波３ａの範囲と電波４ａの範囲とが重なる位置にタグ５が位置している場合、入側リーダ３と出側リーダ４とが送信した電波の重なる範囲が狭くなる。その結果、最終的には、入側リーダ３及び出側リーダ４の一方のみがタグ５からの電波を受信することになる。このため、入側リーダ３と出側リーダ４とを一定の距離以上離すことなく、タグ５に対応した個人の入退室を正確に管理することができる。
【００３２】
この際、電波３ａの範囲と電波４ａの範囲は、時間の経過に応じて一定の割合で徐々に狭くなる。このため、簡単な制御で、個人の入退室を正確に管理することができる。
【００３３】
また、コントローラ２の記憶部に記憶された設定値は、入側リーダ３及び出側リーダ４の一方のみがタグ５からの電波を受信した際に更新される。このため、設定値の更新後、タグ５の検出にかかる時間を短縮することができる。
【００３４】
実施の形態２．
図５はこの発明の実施の形態２における入退室管理システムによるリーダの電波範囲の制御方法を説明するための図である。図５の横軸は時間を表す。図５の縦軸は電波３ａの範囲と電波４ａの範囲とを表す。なお、実施の形態１と同一又は相当部分には同一符号を付して説明を省略する。
【００３５】
実施の形態１においては、コントローラ２は、入側リーダ３と出側リーダ４とから同時に同一のＩＤデータに対応した受信データを受信した場合、電波３ａの範囲と電波４ａの範囲とを時間の経過に応じて一定の割合で狭くしていた。
【００３６】
一方、実施の形態２においては、コントローラ２は、入側リーダ３と出側リーダ４とから同時に同一のＩＤデータに対応した受信データを受信した場合、図５の左側に示すように、電波３ａの範囲と電波４ａの範囲とを所定時間間隔毎に所定量だけ狭くなる。
【００３７】
この際、例えば、電波３ａの範囲と電波４ａの範囲とがＡ点となったときに、タグ５が電波３ａの範囲外かつ電波４ａの範囲外に位置する場合がある。このとき、入側リーダ３と出側リーダ４との双方がタグ５を検出しなくなる。
【００３８】
この場合、コントローラ２は、図５の右側に示すように、電波３ａの範囲と電波４ａの範囲とをＡ点よりも所定量だけ広げる。その後、コントローラ２は、タグ５が検出されなくなる前の時間間隔よりも短い時間間隔毎に、タグ５が検出されなくなる前の量よりも少ない量で電波３ａの範囲と電波４ａの範囲とを狭くする。
【００３９】
以上で説明した実施の形態２によれば、電波３ａの範囲と電波４ａの範囲とが重なる位置にタグ５が位置している場合、電波３ａの範囲と電波４ａの範囲とは、所定時間間隔毎に所定量だけ狭くなる。このため、個人の入退室を早く判断することができる。
【００４０】
また、入側リーダ３と出側リーダ４とがタグ５を検出しなくなった場合、コントローラ２は、電波３ａの範囲と電波４ａの範囲とをＡ点よりも所定量だけ広げる。その後、コントローラ２は、タグ５が検出されなくなる前の時間間隔よりも短い時間間隔毎に、タグ５が検出されなくなる前の量よりも少ない量で電波３ａの範囲と電波４ａの範囲とを狭くする。このため、個人の入退室を確実に判断することができる。
【００４１】
実施の形態３．
図６はこの発明の実施の形態３における入退室管理システムの動作を説明するためのフローチャートである。なお、実施の形態１と同一又は相当部分には同一符号を付して説明を省略する。
【００４２】
実施の形態１においては、コントローラ２は、個人の入退室を判断した後に、電気錠１の開閉を制御していた。一方、実施の形態３においては、コントローラ２は、個人の入退室を判断する前に、電気錠１の開閉を制御する。以下、図６を用いて、実施の形態３の入退室管理システムの動作を説明する。
【００４３】
ステップＳ１１〜Ｓ１３は、ステップＳ１〜Ｓ３と同様である。ステップＳ１３の後、ステップＳ１４では、コントローラ２は、電気錠１の開閉を制御する。その後、ステップＳ１５に進み、コントローラ２は、入側リーダ３と出側リーダ４とから同時に同一のＩＤデータに対応した受信データを受信しているか否かを判断する。
【００４４】
入側リーダ３と出側リーダ４とから同時に同一のＩＤデータに対応した受信データが受信されている場合は、ステップＳ１６に進む。ステップＳ１６では、コントローラ２は、入側リーダ３と出側リーダ４とに、記憶部に記憶された設定値を初期値として電波３ａ、４ａの範囲を狭くするように指示する。その後、ステップＳ１７に進み、入側リーダ３と出側リーダ４とは、コントローラ２の指示に従って、電波３ａ、４ａの範囲を狭くする。その後、ステップＳ１１に戻り、上記動作が繰り返される。
【００４５】
ステップＳ１５で入側リーダ３と出側リーダ４とから同時に同一のＩＤデータに対応した受信データが受信されてない場合は、ステップＳ１８に進む。ステップＳ１８では、コントローラ２は、記憶部に記憶された設定値をその時点での電波３ａ、４ｂの範囲に更新する。この更新により、一連の動作が終了する。
【００４６】
以上で説明した実施の形態３によれば、コントローラ２は、個人の入退室を判断する前に、電気錠１の開閉を制御する。このため、タグ５を所持した個人が出入口を通過することを妨げることなく、個人の入退室を判断することができる。
【符号の説明】
【００４７】
１  電気錠
２  コントローラ
３  入側リーダ
３ａ  電波
４  出側リーダ
４ａ  電波
５  タグ
【図１】
2012243248.tif 000003
【図２】
2012243248.tif 000004
【図３】
2012243248.tif 000005
【図４】
2012243248.tif 000006
【図５】
2012243248.tif 000007
【図６】
2012243248.tif 000008